(57)【要約】  第一の基地局と、前記第一の基地局を介してユーザ装置と通信する第二の基地局と、前記第一の基地局と通信する前記ユーザ装置とを有する無線通信システムにおいて前記第一の基地局として用いられる基地局であって、前記ユーザ装置から送信される上り信号を受信する第一の受信部と、前記上り信号を受信するタイミングと当該基地局が保持する所定の基準タイミングとの間のタイミングの差を測定する測定部と、前記タイミングの差に基づいて生成される、前記ユーザ装置が前記上り信号を送信する送信タイミングを制御するためのコマンドを前記ユーザ装置に送信する第一の送信部と、を有する基地局を提供する。
2017094299.tif 000002
【特許請求の範囲】
【請求項１】
第一の基地局と、前記第一の基地局を介してユーザ装置と通信する第二の基地局と、前記第一の基地局と通信する前記ユーザ装置とを有する無線通信システムにおいて前記第一の基地局として用いられる基地局であって、
前記ユーザ装置から送信される上り信号を受信する第一の受信部と、
前記上り信号を受信するタイミングと当該基地局が保持する所定の基準タイミングとの間のタイミングの差を測定する測定部と、
前記タイミングの差に基づいて生成される、前記ユーザ装置が前記上り信号を送信する送信タイミングを制御するためのコマンドを前記ユーザ装置に送信する第一の送信部と、
を有する基地局。
【請求項２】
前記測定された前記タイミングの差を前記第二の基地局に通知する第二の送信部と、
前記第二の基地局から前記コマンドを受信する第二の受信部と、
を有する請求項１に記載の基地局。
【請求項３】
前記タイミングの差に基づいて前記コマンドを生成する生成部、を有する請求項１に記載の基地局。
【請求項４】
前記生成部は、前記タイミングの差が所定の閾値以上の場合に、前記コマンドを生成する、請求項３に記載の基地局。
【請求項５】
前記第一の受信部は、所定時間内で受信した、ランダムアクセス手順で用いられるメッセージの受信数が所定の閾値を超えた場合、前記所定の閾値を超えて受信した前記メッセージを破棄する、請求項１乃至４のいずれか一項に記載の基地局。
【請求項６】
前記第一の受信部は、前記メッセージを破棄したことを前記第二の基地局に通知する、請求項５に記載の基地局。
【請求項７】
前記第二の基地局から、前記ユーザ装置が前記上り信号を送信する送信タイミングを、前記コマンドにより制御される送信タイミングより更に所定の時間先行させるための制御情報を取得する取得部、を有し、
前記第一の送信部は、前記制御情報に含まれる前記所定の時間を前記ユーザ装置に送信する、請求項１乃至６のいずれか一項に記載の基地局。
【請求項８】
第一の基地局と、前記第一の基地局を介してユーザ装置と通信する第二の基地局と、前記第一の基地局と通信する前記ユーザ装置とを有する無線通信システムにおいて前記第二の基地局として用いられる基地局であって、
前記第一の基地局から、前記ユーザ装置から送信される上り信号を受信する受信部と、
前記上り信号を受信するタイミングと当該基地局が保持する所定の基準タイミングとの間のタイミングの差を測定する測定部と、
前記タイミングの差が所定の待ち時間を超える場合、前記ユーザ装置が前記上り信号を送信する送信タイミングを、前記第一の基地局で行われるタイミングアライメント制御で制御される送信タイミングより更に所定の時間先行させるための制御情報を生成する生成部と、
前記制御情報を前記第一の基地局に送信する送信部と、
を有する基地局。
【請求項９】
第一の基地局と、前記第一の基地局を介してユーザ装置と通信する第二の基地局と、前記第一の基地局と通信する前記ユーザ装置とを有する無線通信システムにおける前記第一の基地局が実行するタイミング制御方法であって、
前記ユーザ装置から送信される上り信号を受信するステップと、
前記上り信号を受信するタイミングと当該第一の基地局が保持する所定の基準タイミングとの間のタイミングの差を測定するステップと、
前記タイミングの差に基づいて生成される、前記ユーザ装置が前記上り信号を送信する送信タイミングを制御するためのコマンドを前記ユーザ装置に送信するステップと、
を有するタイミング制御方法。
【請求項１０】
第一の基地局と、前記第一の基地局を介してユーザ装置と通信する第二の基地局と、前記第一の基地局と通信する前記ユーザ装置とを有する無線通信システムにおける前記第二の基地局が実行するタイミング制御方法であって、
前記第一の基地局から、前記ユーザ装置から送信される上り信号を受信するステップ、
前記上り信号を受信するタイミングと当該第二の基地局が保持する所定の基準タイミングとの間のタイミングの差を測定するステップと、
前記タイミングの差が所定の待ち時間を超える場合、前記ユーザ装置が前記上り信号を送信する送信タイミングを、前記第一の基地局で行われるタイミングアライメント制御で制御される送信タイミングより更に所定の時間先行させるための制御情報を生成するステップと、
前記制御情報を前記第一の基地局に送信するステップと、
を有するタイミング制御方法。
【発明の詳細な説明】
【技術分野】
【０００１】
本発明は、基地局及びタイミング制御方法に関する。
【背景技術】
【０００２】
ＬＴＥ（Long Term Evolution）システムでは、トラフィックの高いホットスポットのようなエリアを効率よくサポートするために、装置コストを抑えながら多数のセルを収容することが可能なＣ−ＲＡＮ（Centralized Radio Access Network）と呼ばれる技術が検討されている。【０００３】
Ｃ−ＲＡＮは、リモート設置型の基地局である１又は複数のＲＲＵ（Remote Radio Unit）と、ＲＲＵを集中制御する基地局であるＢＢＵ（Baseband Unit）とから構成されている。ＢＢＵは、ＬＴＥの基地局であるｅＮＢ（evolved NodeB）が備えるレイヤ１〜レイヤ３までの機能を備えており、ＢＢＵで生成されたＯＦＤＭ（Orthogonal Frequency Division Multiplexing）信号は、サンプリングされてＲＲＵに伝送され、ＲＲＵが備えるＲＦ（Radio Frequency）機能部から送信される。【０００４】
次に、ＬＴＥでは、ユーザ装置から送信された上り信号（ＵＬ信号）が基地局に到達するまでの時間は、ユーザ装置と基地局との間の距離に応じて異なる。そこで、各ユーザ装置から送信された上り信号が同じタイミングで基地局に到達するように制御するため、ＬＴＥでは、タイミングアライメント（TA:Timing Alignment）制御と呼ばれる仕組みが実装されている。
【先行技術文献】
【特許文献】
【０００５】
【特許文献１】特開２０１４−２３９４３９号公報
【発明の概要】
【発明が解決しようとする課題】
【０００６】
具体的な課題を説明するにあたり、まず、図１を用いてＴＡ制御について簡単に説明する。基地局から送信された下り信号（図１のｅＮＢ＃Ｔｘ）は、基地局内の有線区間の遅延（ＴＦＨ）、及び基地局とユーザ装置との間の距離に応じた無線区間の遅延（Ｔａｉｒ）により、最大で約０．３３３ｍｓ遅れてユーザ装置に到達する（図１のＵＥ＃Ｒｘ）。【０００７】
ＴＡ制御が行われない場合、ユーザ装置は、下り信号を受信したタイミングに従って上り信号（ＵＬ信号）を送信する。ユーザ装置から送信された上り信号が基地局に到達するまでの遅延は下り信号における遅延と同一である。従って、ユーザ装置から送信された上り信号は、最大で約０．３３３ｍｓ遅れて基地局に到達することになる。【０００８】
基地局は、自身が保持するクロック等に基づいて生成されるフレームタイミング（基準タイミング）を保持しており、フレームタイミングに従ってＩＦＦＴ（Inverse Fast Fourier Transformation）処理を行い、下り信号（ＯＦＤＭ信号）の送信を行う。また、基地局は、フレームタイミングに従ってＦＦＴ（Fast Fourier Transformation）処理を行うことで、各ユーザ装置からの上り信号（ＳＣ−ＦＤＭＡ信号）の復調処理を行う。【０００９】
すなわち、基地局から見た場合に、基地局のフレームタイミングと、各ユーザ装置から上り信号を受信するタイミングは揃っている必要がある。仮に上り信号を受信するタイミングがフレームタイミングと一致していない場合、基地局は上り信号における有効シンボルの部分とサイクリックプレフィックス（ＣＰ）の部分の認識を誤ってしまい、正しくＦＦＴ処理を行うことができなくなる。【００１０】
そこで、基地局は、フレームタイミングと上り信号を受信したタイミングのずれを測定し、測定結果に従って上り信号を早めに送信する（図１のＵＥ＃Ｔｘ）ように各ユーザ装置に指示することで、フレームタイミング（図１のｅＮＢ＃Ｔｘの送信タイミングに相当）と各ユーザ装置から上り信号を受信するタイミング（図１のｅＮＢ＃Ｒｘ）が揃うように制御（ＴＡ制御）している。【００１１】
次に、図２Ａ及びＢを用いてＢＢＵとＲＲＵとの間の機能分担について説明する。ＢＢＵとＲＲＵとの間をつなぐネットワーク回線は、ＦＨ（Front Haul）と呼ばれる。【００１２】
図２Ａは、現在のＬＴＥにおけるＢＢＵとＲＲＵとの間の機能分担を示している。図２Ａに示すように、現在のＬＴＥでは、レイヤ１（物理レイヤ：ＰＨＹ）及びレイヤ２（ＭＡＣ、ＲＬＣ、ＰＤＣＰ）の機能はＢＢＵ側に実装されている。そのため、ＦＨに必要な帯域は、ＢＢＵでサポートされるピークレートの約１６倍になる。例えば、システム帯域が２０ＭＨｚであり、かつ、２×２ＭＩＭＯ（Multi Input Multi Output）の無線通信をＢＢＵがサポートする場合、ＦＨ（Front Haul）に必要な帯域は約２．４Ｇｂｐｓになる。【００１３】
現在、３ＧＰＰでは、１０Ｇｂｐｓ以上のピークレート及びさらなる低遅延化を実現すべく、５Ｇと呼ばれる無線通信技術が研究されている。５Ｇでは様々な技術が検討されおり、例えば、多数のアンテナ素子が実装されたアンテナを用いるＭａｓｓｉｖｅＭＩＭＯと呼ばれる技術が検討されている。５Ｇの無線通信技術が導入されると、ピークレートの向上に伴いＦＨに必要な帯域も飛躍的に増大することになる。【００１４】
そこで、ＢＢＵに実装されているレイヤの一部をＲＲＵに移すことで、ＦＨで伝送される情報量を削減することが検討されている。どのレイヤの機能をＲＲＵに移すのかについては様々な方法が考えられるが、例えば、図２Ｂに示すように、ＢＢＵが備える物理レイヤの機能をＲＲＵに移すことが検討されている。【００１５】
上述のＦＦＴ処理は物理レイヤで行われる機能である。つまり、図２Ｂに示すように、物理レイヤがＲＲＵ側に移された場合、ＦＦＴ制御もＲＲＵ側で行われることになる。また、ＦＦＴ処理が正しく行われるためには、ＲＲＵは、ＴＡ制御により、フレームタイミングと各ユーザ装置から上り信号を受信するタイミングとを揃えるように制御する必要がある。【００１６】
図３Ａ及びＢは、課題を説明するための図である。現在のＬＴＥでは、ＢＢＵ側に物理レイヤが実装されているため、フレームタイミングと各ユーザ装置から上り信号を受信するタイミングとの間のずれ（受信タイミングのずれ）の測定はＢＢＵ側で行う前提である。図３Ａ及びＢの例では、ＢＢＵ〜ＲＲＵ間の有線区間（ＦＨ）の遅延を「α」と仮定し、ＲＲＵ〜ＵＥ間の無線区間の遅延を「β」と仮定する。【００１７】
図３Ａは、ＴＡ制御が行われていない状態で、ＢＢＵにて測定される受信タイミングのずれを示している。図３Ａに示すように、ＢＢＵは、フレームタイミング（下り信号の送信タイミングに相当）と上り信号を受信したタイミングとの間のずれは「２α＋２β」であると測定する。次に、ＢＢＵは、ユーザ装置に対して、「２α＋２β」時間前倒して上り信号を送信するようにＴＡ制御を行う。その結果、図３Ｂに示すように、ＢＢＵにて、フレームタイミング（下り信号の送信タイミングに相当）と、上り信号を受信したタイミングとが一致することになる。【００１８】
しかしながら、物理レイヤがＲＲＵ側に移された場合、ＦＦＴ制御もＲＲＵ側で行われることになる。すなわち、図３Ｂに示すように、ＢＢＵでＴＡ制御が行われることで、ＲＲＵにおいて、ＲＲＵが管理するフレームタイミング（ＲＲＵにおける下り信号の送信タイミングに相当）と上り信号を受信するタイミングとが「２α」時間ずれてしまことになる。すなわち、ＢＢＵで上り信号を受信するタイミングのずれを測定してＴＡ制御を行った場合、ＲＲＵは正しくＦＦＴ処理を行うことができなくなる。その結果、ＢＢＵ及びＲＲＵとユーザ装置との間で正常に通信を行うことができなくなるという問題が生じることになる。【００１９】
開示の技術は上記に鑑みてなされたものであって、Ｃ−ＲＡＮによる無線通信ネットワークにおいて、適切に通信を行うことを可能にする技術を提供することを目的とする。
【課題を解決するための手段】
【００２０】
開示の技術の基地局は、第一の基地局と、前記第一の基地局を介してユーザ装置と通信する第二の基地局と、前記第一の基地局と通信する前記ユーザ装置とを有する無線通信システムにおいて前記第一の基地局として用いられる基地局であって、前記ユーザ装置から送信される上り信号を受信する第一の受信部と、前記上り信号を受信するタイミングと当該基地局が保持する所定の基準タイミングとの間のタイミングの差を測定する測定部と、前記タイミングの差に基づいて生成される、前記ユーザ装置が前記上り信号を送信する送信タイミングを制御するためのコマンドを前記ユーザ装置に送信する第一の送信部と、を有する。
【発明の効果】
【００２１】
開示の技術によれば、Ｃ−ＲＡＮによる無線通信ネットワークにおいて、適切に通信を行うことを可能にする技術が提供される。
【図面の簡単な説明】
【００２２】
【図１】ＴＡ制御を説明するための図である。
【図２Ａ】ＢＢＵとＲＲＵの機能分担を説明するための図である。
【図２Ｂ】ＢＢＵとＲＲＵの機能分担を説明するための図である。
【図３Ａ】課題を説明するための図である。
【図３Ｂ】課題を説明するための図である。
【図４】実施の形態に係る無線通信システムの構成例を示す図である。
【図５】実施の形態に係る無線通信システムが行う処理手順を示す図である。
【図６Ａ】実施の形態に係るＴＡ制御を説明するための図である。
【図６Ｂ】実施の形態に係るＴＡ制御を説明するための図である。
【図７】実施の形態に係る無線通信システムが行う処理手順（変形例１）を示す図である。
【図８Ａ】ＲＡ手順を示す図である。
【図８Ｂ】ＲＡ手順を示す図である。
【図９】新たな課題を説明するための図である。
【図１０】ＢＢＵで観測される受信タイミングのずれを説明するための図である。
【図１１Ａ】ＢＢＵの処理可能時間を説明するための図である。
【図１１Ｂ】ＢＢＵの処理可能時間を説明するための図である。
【図１２】実施の形態に係るＢＢＵがＲＲＵにタイミング調整を指示する際の処理手順を示す図である。
【図１３】ＢＢＵとＲＲＵ間におけるＴＡ制御の動作例を説明するための図である。
【図１４】実施の形態に係るＲＲＵの機能構成例を示す図である。
【図１５】実施の形態に係るＢＢＵの機能構成例を示す図である。
【図１６】実施の形態に係るＲＲＵのハードウェア構成例を示す図である。
【図１７】実施の形態に係るＢＢＵのハードウェア構成例を示す図である。
【発明を実施するための形態】
【００２３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００２４】
以下の説明において、１サブフレームの長さは１ｍｓである前提として説明するが、これに限られない。本実施の形態に係る無線通信システムは、１サブフレームの長さが１ｍｓ以外である場合にも適用できる。
【００２５】
＜システム構成、概要＞
図４は、実施の形態における無線通信システムのシステム構成の一例を示す図である。図４に示すように、本実施の形態における無線通信システムは、ＢＢＵ１と、ＲＲＵ２ａと、ＲＲＵ２ｂと、ユーザ装置ＵＥａと、ユーザ装置ＵＥｂとを含む。図４では、ＲＲＵ２ａとＲＲＵ２ｂとが示されているが、ＲＲＵは１つであってもよいし、３つ以上のＲＲＵが含まれていてもよい。同様に、図４では、ユーザ装置ＵＥａとユーザ装置ＵＥｂとが示されているが、ユーザ装置は１つであってもよいし、３つ以上のユーザ装置が含まれていてもよい。以下の説明において、ＲＲＵ２ａ及びＲＲＵ２ｂを区別しないときは、単に「ＲＲＵ２」と記載する。また、ユーザ装置ＵＥａ及びユーザ装置ＵＥｂを区別しないときは、単に「ユーザ装置ＵＥ」と記載する。
【００２６】
ＢＢＵ１及びＲＲＵ２はＦＨで接続されており、ＦＨで用いられる所定のフレームプロトコルを用いて相互に通信を行う。本実施の形態において、所定のフレームプロトコルにはどのようなプロトコルが用いられてもよい。
【００２７】
ＲＲＵ２ａ及びＲＲＵ２ｂはそれぞれ１以上のセル（マクロセル、スモールセル）を形成する。ＢＢＵ１は、１以上のセル（例えばマクロセル）を形成するようにしてもよい。ＢＢＵ１は、自身が形成するセル、ＲＲＵ２ａが形成するセル、及びＲＲＵ２ｂが形成するセルから２以上のセルを選択してユーザ装置ＵＥにＣＡ（Carrier Aggregation）を設定する機能を有していてもよい。
【００２８】
本実施の形態に係るＲＲＵ２は、物理レイヤの機能を有している前提とする。また、本実施の形態に係る無線通信システムは、物理レイヤの機能はＲＲＵ２で行い、レイヤ２及びレイヤ３の機能はＢＢＵ１で行う機能分担により動作する。以下、本機能分担のことを、便宜上「ＰＨＹ  Ｓｐｌｉｔ  Ｃ−ＲＡＮ」と呼ぶ。
【００２９】
なお、ＢＢＵ１は、物理レイヤの機能を有していてもよいし、物理レイヤの機能を有していなくてもよい。また、ＢＢＵ１は、本実施の形態で説明する機能を実行可能なｅＮＢ（enhanced Node B）であってもよい。本実施の形態に係るＢＢＵ１は中央基地局と呼ばれてもよいし、単に基地局と呼ばれてもよい。本実施の形態に係るＲＲＵ２はリモート基地局と呼ばれてもよいし、ＲＲＨ（Remote Radio Head）と呼ばれてもよいし、単に基地局と呼ばれてもよい。
【００３０】
図３Ａ及びＢを用いて説明したように、ＢＢＵ１で上り信号を受信したタイミングのずれを測定してＴＡ制御を行った場合、ＲＲＵ２は正しくＦＦＴ処理を行うことができなくなる。その結果、ＢＢＵ１及びＲＲＵ２とユーザ装置との間で正常に通信を行うことができなくなるという問題が生じることになる。そこで、本実施の形態に係る無線通信システムは、ユーザ装置ＵＥからの上り信号の受信タイミングのずれをＲＲＵ２で測定し、測定結果に基づいてＴＡ制御を行うようにすることで、ＲＲＵ２で正しくＦＦＴ処理を行うことを可能にする。
【００３１】
＜処理手順＞
（ＴＡ制御について）
図５は、実施の形態に係る無線通信システムが行う処理手順を示す図である。図５を用いて、実施の形態に係る無線通信システムが行うＴＡ制御について説明する。
【００３２】
ステップＳ１で、ユーザ装置ＵＥは上り信号をＲＲＵ２に送信する。
【００３３】
ステップＳ２で、ＲＲＵ２は、自身が保持するクロック等により生成されるフレームタイミング（基準タイミング）と、ユーザ装置ＵＥから上り信号を受信したタイミングとを比較することで、受信タイミングのずれを測定する。フレームタイミング（基準タイミング）は、例えば、サブフレームの境界のタイミングでもよい。
【００３４】
具体的な測定方法の例として、ＲＲＵ２は、ユーザ装置ＵＥから受信した上り信号に含まれるＳＲＳ（Sounding Reference Signal）の実際の受信タイミングと、ＲＲＵ２自身が認識しているフレームタイミングから推定されるＳＲＳの受信タイミングとを比較することで、受信タイミングのずれを測定するようにしてもよい。また、これに限られず、ＰＵＣＣＨ（Physical Uplink Control Channel）、ＰＵＳＣＨ（Physical Uplink Shared Channel）、ＰＲＡＣＨ（Physical Random Access Channel）等の物理チャネルの信号を用いて受信タイミングのずれを測定してもよい。
【００３５】
ＲＲＵ２は、ステップＳ２の処理手順を常に行うようにしてもよいし、所定の周期で行うようにしてもよい。また、ＲＲＵ２は、ステップＳ２の処理手順を、ユーザ装置ＵＥから特定の上り信号（例えば、ＰＵＣＣＨ、ＳＲＳ）を受信するタイミングに従って、イベントトリガ的に行うようにしてもよい。
【００３６】
図６Ａは、ＴＡ制御が行われていない状態を仮定した場合に、ＲＲＵ２で測定される受信タイミングのずれを示している。ＲＲＵ２は、自身のフレームタイミングに従って下り信号（Ｄ５２）を送信する。ＴＡ制御が行われていない場合、ユーザ装置ＵＥは、下り信号（Ｄ５２）を受信したタイミングで上り信号（Ｄ６１）を送信する。従って、ＲＲＵ２では、下り信号（Ｄ５２）がユーザ装置ＵＥに到達するまでの遅延時間（β）と、上り信号（Ｄ６１）がＲＲＵ２に到達するまでの遅延時間（β）とを合計した、「２β」が受信タイミングのずれとして測定されることになる。図５に戻り説明を続ける。
【００３７】
ステップＳ３で、ＲＲＵ２は、受信タイミングのずれを測定した測定結果を、ＦＨで用いられる所定のフレームプロトコルを用いてＢＢＵ１に報告（フィードバック）する。なお、ＲＲＵ２は、測定結果と共に、ユーザ装置ＵＥの識別子（例えば、Ｃ−ＲＮＴＩ（Cell-Radio Network Temporary Identifier）、Ｔｅｍｐｏｒａｒｙ  Ｃ−ＲＮＴＩ等）、受信タイミングのずれの測定に用いた上り信号の種別（ＳＲＳ、ＰＵＣＣＨ、ＰＵＳＣＨ、ＰＲＡＣＨ等）、受信タイミングのずれを測定した時間を示す情報（ＳＦＮ（System Frame Number）、サブフレーム番号、スロット番号等）をＢＢＵ１に報告するようにしてもよい。また、ＲＲＵ２は、ＰＲＡＣＨで受信タイミングのずれを測定した場合、ＲＡＣＨリソースに対応する識別子（Ｐｒｅａｍｂｌｅ  Ｉｎｄｅｘ、プリアンブル番号、ＲＡ−ＲＮＴＩ（Random Access-RNTI）、ＰＲＡＣＨグループの識別子（ユーザ装置ＵＥの種別を識別するためのＰＲＡＣＨグループの識別子）が含まれていてもよい。
【００３８】
ＲＲＵ２は、受信タイミングのずれを、実際の差分値（例えば、μｓｅｃ単位、ｓｅｃ単位など）でＢＢＵ１に報告するようにしてもよいし、３ＧＰＰ仕様（ＴＳ３６．３２１、ＴＳ３６．２１３）で規定されているＴＡコマンドのインデックス（Timing Advance Command Index）を用いて報告するようにしてもよい。
【００３９】
ＲＲＵ２は、ステップＳ２の処理手順で受信タイミングのずれを測定したタイミングで測定結果をＢＢＵ１に報告するようにしてもよいし、周期的に報告するようにしてもよいし、特定の上り信号（ＰＵＣＣＨ、ＳＲＳ等）に対して受信タイミングのずれを測定した場合にのみ報告するようにしてもよい。また、ＲＲＵ２は、ＲＡ手順の信号に対してタイミングのずれを測定した場合は、測定結果を必ずＢＢＵ１に報告するようにしてもよい。
【００４０】
また、ＲＲＵ２は、ＴＡタイマが無限大（すなわち、上り信号の送信タイミングが大きくずれることがないようなセル）の場合、ＲＡ手順の信号に対して受信タイミングのずれを測定した場合にのみ測定結果をＢＢＵ１に報告するようにしてもよい。
【００４１】
ステップＳ４で、ＢＢＵ１は、報告された測定結果に基づいてＴＡコマンドを生成する。なお、ＢＢＵ１は、ステップＳ３で測定結果が報告された場合に、常にＴＡコマンドを生成するようにしてもよいし、報告された測定結果が所定の閾値以上である場合（すなわち、受信タイミングのずれが所定の閾値以上である場合）に限り、ＴＡコマンドを生成するようにしてもよい。これにより、シグナリング量を削減することができる。
【００４２】
ステップＳ５で、ＢＢＵ１は、生成したＴＡコマンドをＲＲＵ２に送信する。ステップＳ６で、ＲＲＵ２は、ステップＳ４で受信したＴＡコマンドをユーザ装置ＵＥに送信する。
【００４３】
なお、ＢＢＵ１は、ＴＡコマンド用のＭＡＣ  ＣＥ（Timing Advance Command Medium Access Control Element）を含むＭＡＣ  ＰＤＵを生成してＲＲＵ２に送信し（Ｓ５）、ＲＲＵ２は、受信したＭＡＣ  ＰＤＵをそのままユーザ装置ＵＥに送信する（Ｓ６）ようにしてもよい。また、ＢＢＵ１は、ＴＡコマンドを所定のフレームプロトコルを用いてＲＲＵ２に送信し（Ｓ５）、ＲＲＵ２は、受信したＴＡコマンドから、当該ＴＡコマンド用のＭＡＣ  ＣＥを含むＭＡＣ  ＰＤＵを生成してユーザ装置ＵＥに送信する（Ｓ６）ようにしてもよい。
【００４４】
図６Ｂは、以上説明したＴＡ制御により、ＲＲＵ２で測定される受信タイミングのずれが解消された状態を示している。
【００４５】
（ＴＡ制御の変形例１について）
図５を用いて説明したＴＡ制御では、ＢＢＵ１がＴＡコマンドの生成を行うようにした。しかしながら、ＴＡコマンドの生成を毎回ＢＢＵ１で行おうとすると、ＲＲＵ２からＢＢＵ１に測定結果を報告する処理手順（Ｓ３）、及びＢＢＵ１からＲＲＵ２にＴＡコマンドを送信する処理手順（Ｓ５）に要する時間の遅延が生じることになり、ユーザ装置ＵＥに対するＴＡ制御が遅れることになる。
【００４６】
そこで、本変形例に係る無線通信システムは、ＴＡ制御をＲＲＵ２のみで行うようにすることで、ユーザ装置ＵＥに対して迅速にＴＡ制御を行うようにしてもよい。
【００４７】
図７は、実施の形態に係る無線通信システムが行う処理手順（変形例１）を示す図である。
【００４８】
ステップＳ１及びステップＳ２の処理手順は、図５のステップＳ１及びステップＳ２と同一であるため説明は省略する。
【００４９】
ステップＳ８で、ＲＲＵ２は、受信タイミングのずれを測定した測定結果に基づいてＴＡコマンドを生成する。なお、ＲＲＵ２は、ステップＳ２の処理手順において受信タイミングのずれを測定した際、常にＴＡコマンドを生成するようにしてもよいし、測定結果が所定の閾値以上である場合（すなわち、受信タイミングのずれが所定の閾値以上である場合）に限り、ＴＡコマンドを生成するようにしてもよい。これにより、シグナリング量を削減することができる。
【００５０】
ステップＳ９で、ＲＲＵ２は、生成したＴＡコマンドをユーザ装置ＵＥに送信する。なお、ＲＲＵ２は、生成したＴＡコマンドから、ＴＡコマンド用のＭＡＣ  ＣＥを含むＭＡＣ  ＰＤＵを生成してユーザ装置ＵＥに送信するようにしてもよい。
【００５１】
以上、ＴＡ制御の変形例１について説明した。なお、ＲＲＵ２は、ＢＢＵ１から"ＴＡ制御の変形例１"に従った動作を行うように指示を受けた場合は図７に示す"ＴＡ制御の変形例１"に従った動作を行い、指示を受けていない場合は図５で説明したＴＡ制御に従って動作するようにしてもよい。ＢＢＵ１は、どのようなトリガでＲＲＵ２に当該指示を行うようにしてもよいが、一例として、ＢＢＵ１は、図５のステップＳ３で報告された測定結果のずれが所定の閾値以上に大きいユーザ装置ＵＥが所定の数以上存在する場合、高速に移動するユーザ装置ＵＥが多く存在すると判断し、ＲＲＵ２に対して"ＴＡ制御の変形例１"に従った動作を行うように指示するようにしてもよい。
【００５２】
ＢＢＵ１は、"ＴＡ制御の変形例１"に従った動作を行うようにＲＲＵ２に指示する場合、ＲＲＵ２単位に指示するようにしてもよいし、更に細かい単位（セル単位、キャリア単位、セルの種別単位（マクロセル単位、スモールセル単位）又はユーザ装置ＵＥ単位）で指示するようにしてもよい。ＲＲＵ２は、ＢＢＵ１から指示された単位で"ＴＡ制御の変形例１"に従った動作を行う。
【００５３】
また、ＲＲＵ２は、ステップＳ２の処理手順で測定した受信タイミングのずれが所定の閾値以上である場合は図７に示す"ＴＡ制御の変形例１"に従った動作を行い、ステップＳ２の処理手順で測定した受信タイミングのずれが所定の閾値未満である場合は図５で説明したＴＡ制御に従って動作するようにしてもよい。これにより、特定のユーザ装置ＵＥにおける受信タイミングのずれが大きい場合、他のユーザ装置ＵＥから送信される上り信号との間で発生する干渉を迅速に抑制することができる。
【００５４】
（ＴＡ制御の変形例２について）
ＲＲＵ２は、図５のステップＳ１の処理手順で受信した上り信号の信頼度を測定し、測定した信頼度が所定の閾値以上である場合に、図５のステップＳ３の処理手順で受信タイミングのずれを測定した測定結果をＢＢＵ１に報告するようにしてもよい。信頼度とは、例えば、上り信号の受信電力の強弱であってもよいし、上り信号の受信品質のレベルであってもよい。
【００５５】
同様に、ＲＲＵ２は、図７のステップＳ１の処理手順で受信した上り信号の信頼度を測定し、測定した信頼度が所定の閾値以上である場合に、ステップＳ８の処理手順でＴＡコマンドの生成を行うようにしてもよい。
【００５６】
所定の閾値は、予めＲＲＵ２のメモリ等に設定されていてもよいし、ＢＢＵ１から通知されるようにしてもよい。当該所定の閾値をＲＲＵ２に予め通知しておく場合、ＢＢＵ１は、ＲＲＵ２単位で所定の閾値を通知する（つまり、ＲＲＵ２ごとに１つの所定の閾値を通知する）ようにしてもよいし、更に細かい単位（セル単位、キャリア単位、セルの種別単位（マクロセル単位、スモールセル単位）、ユーザ装置ＵＥ単位又は上り信号の種別（例えば物理チャネルの種別）単位）で所定の閾値を通知するようにしてもよい。ＲＲＵ２は、ＢＢＵ１から指示された所定の閾値を用いて上り信号の信頼度を測定するように動作する。
【００５７】
また、他の例として、ＲＲＵ２は、図５のステップＳ１の処理手順で受信した上り信号の信頼度を測定し、図５のステップＳ３の処理手順において、受信タイミングのずれを測定した測定結果と、測定した信頼度とをＢＢＵ１に報告するようにしてもよい。ＢＢＵ１は、図５のステップＳ４の処理手順において、ＲＲＵ２から報告された信頼度が所定の閾値以上である場合に、ＴＡコマンドの生成を行うようにしてもよい。
【００５８】
以上説明した"ＴＡ制御の他の変形例２"によれば、上り信号の信頼度が所定の閾値以上である場合に限り、ＢＢＵ１／ＲＲＵ２でＴＡコマンドの生成及びＴＡコマンドの送信が行われることになる。
【００５９】
（ＲＡ手順における輻輳回避制御について）
多数のユーザ装置ＵＥが一斉にＲＡ手順を実行した場合、基地局ｅＮＢの処理負荷が増大し、通信サービスの提供を継続することが困難になる可能性がある。また、この場合、一般ユーザの通信サービスのみならず、緊急呼等の重要通信についてもサービスの提供を継続することが困難になる可能性がある。
【００６０】
このような問題を解決するために、ＬＴＥにおける基地局ｅＮＢは、ユーザ装置ＵＥから要求されるＲＡ手順の一部又は全部を制限する輻輳回避制御を行う機能を有している。
【００６１】
図８Ａ及びＢは、ＲＡ手順を示す図である。図８Ａは競合ベースのＲＡ手順（Contention based RA）を示しており、図８Ｂは非競合ベースのＲＡ手順（Contention Free RA）を示している。基地局ｅＮＢは、輻輳回避制御として、例えば、メッセージ１（Ｓ１１／Ｓ２２）を受信（処理）する数を所定の数に制限し、所定の数を超えたメッセージ１を破棄する機能を有している。同様に、基地局ｅＮＢは、メッセージ２（Ｓ１２／Ｓ２３）及びメッセージ４（Ｓ１４）を同時に送信する数を制限する機能、及び、メッセージ３（Ｓ１３）を受信（処理）する数を所定の数に制限し、所定の数を超えたメッセージ３を破棄する機能を有している。
【００６２】
本実施の形態に係る無線通信システムは、ＲＡ手順におけるメッセージの送受信をＲＲＵ２側で行うことになる。従って、本実施の形態に係るＲＲＵ２は、多数のユーザ装置ＵＥから一斉にＲＡ手順が実行された場合に対応できる処理能力を有しているのが望ましい。しかしながら、ＲＲＵ２に相応の処理能力を持たせようとすると、ＲＲＵ２の開発コスト等が増大することが想定される。
【００６３】
そこで、本実施の形態に係るＲＲＵ２は、ＲＡ手順について輻輳回避制御を行う機能を有していてもよい。
【００６４】
具体的には、ＲＲＵ２は、メッセージ１（Ｓ１１／Ｓ２２）を所定の時間内に受信（処理）する数を所定の数（閾値）に制限し、所定の数を超えて受信したメッセージ１を破棄するようにしてもよい。また、ＲＲＵ２は、メッセージ２（Ｓ１２／Ｓ２３）を所定の時間内に送信可能な数を所定の数（閾値）に制限するようにしてもよい。また、ＲＲＵ２は、メッセージ４（Ｓ１４）を所定の時間内に送信可能な数を所定の数（閾値）に制限するようにしてもよい。また、ＲＲＵ２は、メッセージ３（Ｓ１３）を所定の時間内に受信（処理）する数を所定の数に制限し、所定の数を超えて受信したメッセージ３を破棄するようにしてもよい。
【００６５】
なお、ＲＲＵ２は、ＢＢＵ１から指示を受けた場合に、輻輳回避制御を起動するようにしてもよい。例えば、ＢＢＵ１は、ＢＢＵ１自身の処理負荷が上昇していることを検出した場合（輻輳を検出した場合）に、ＲＲＵ２に対して、輻輳回避制御を起動するように指示するようにしてもよい。
【００６６】
また、ＲＲＵ２は、輻輳回避制御に関する各種のパラメータ（単位時間、及び所定の数等）を、メモリ等に格納された設定ファイル等に基づいて決定するようにしてもよいし、ＲＲＵ２自身の処理能力、ＦＨの帯域幅、ＦＨで用いられる所定のフレームプロトコルの処理能力、又は／及びＢＢＵ１の処理能力等に基づいて決定するようにしてもよい。また、ＢＢＵ１は、輻輳回避制御を起動するように指示する際、輻輳回避制御に関する各種のパラメータをＲＲＵ２に指示するようにしてもよい。
【００６７】
また、ＲＲＵ２は、輻輳回避制御を行ったこと（例えば、メッセージ１又はメッセージ３を破棄したこと、メッセージ２又はメッセージ４を送信する数を制限したこと）を、ＢＢＵ１に通知するようにしてもよい。
【００６８】
また、ＲＲＵ２は、輻輳回避制御を所定の期間に限り動作させるようにしてもよい。例えば、ＲＲＵ２は、輻輳回避制御を起動してから、所定の期間が経過した場合、輻輳回避制御を停止するようにしてもよい。
【００６９】
また、ＲＲＵ２は、輻輳回避制御を、競合ベースのＲＡ手順のみに適用するようにしてもよい。つまり、ＲＲＵ２は、図８Ａに示すメッセージ１〜４のみを対象に輻輳回避制御を行うようにしてもよい。
【００７０】
また、ＲＲＵ２は、所定の時間内に所定の数（閾値）を超えてメッセージ１を受信した場合、優先度が高いメッセージ１から順に受信（処理）するようにしてもよいし、又は、優先度が低いメッセージ１から順に破棄するようにしてもよい。同様に、ＲＲＵ２は、所定の時間内に所定の数（閾値）を超えてメッセージ３を受信した場合、優先度が高いメッセージ３から順に受信（処理）するようにしてもよいし、又は、優先度が低いメッセージ３から順に破棄するようにしてもよい。
【００７１】
メッセージ１及びメッセージ３における優先度とは、例えば、ユーザ装置ＵＥの種別ごと（例えば、通常のユーザ装置ＵＥなのか、ＭＴＣ（Machine Type Communication）用のＵＥなのか等）に対応づけられる優先度であってもよいし、ユーザ装置ＵＥが送信しようとしているデータのサービス種別／ＱＣＩ（QoS Class Identifier）等に対応づけられる優先度であってもよい。ユーザ装置ＵＥは、メッセージ１又はメッセージ３に優先度を示す識別子を格納するようにして、ＲＲＵ２は、メッセージ１又はメッセージ３に格納された識別子に基づいてメッセージ１又はメッセージ３の優先度を判断するようにしてもよい。また、優先度ごとにＰｒｅａｍｂｌｅ  Ｉｎｄｅｘの範囲を予め決めておき、ＲＲＵ２は、メッセージ１として送信されるＰｒｅａｍｂｌｅのＩｎｄｅｘに従って優先度を判断するようにしてもよい。また、優先度ごとに、Ｐｒｅａｍｂｌｅの送信に用いられる無線リソースの範囲を予め定めておき、ＲＲＵ２は、メッセージ１として送信されるＰｒｅａｍｂｌｅを受信した無線リソースに基づいて優先度を判断するようにしてもよい。
【００７２】
また、ＲＲＵ２は、輻輳回避制御が動作した場合、又は、自身の処理負荷が所定の値を超えた場合（例えば、輻輳する可能性が高いと判断した場合）、メッセージ２又はメッセージ４にバックオフタイマを含めてユーザ装置ＵＥに送信するようにしてもよい。ユーザ装置ＵＥは、通知されたバックオフタイマが経過するまで、次のＲＡ手順を起動しないように動作するため、多数のユーザ装置ＵＥからＲＡ手順がバースト的に繰り返し起動されてしまうことを防止することができる。
【００７３】
（ＢＢＵとＲＲＵ間におけるＴＡ制御について）
ＢＢＵ１は、自身と接続しているＲＲＵ２により形成される複数のセルのスケジューリングを行う機能を有している。そこで、ＢＢＵ１は、各セルにおけるスケジューリング状況を鑑みて、各セルに対して最適なリソース割当てを行うことで、無線通信システム全体の無線利用効率を向上させることが可能である。
【００７４】
ＢＢＵ１で最適なリソース割当てを可能にするためには、各セルにおいて、各ユーザ装置ＵＥから下り信号に対するフィードバック（例えばＡＣＫ／ＮＡＣＫ等）が適切なタイミングでＢＢＵ１に通知される必要がある。
【００７５】
しかしながら、これまでに説明したＴＡ制御では、ＲＲＵ２は、ユーザ装置ＵＥからの上り信号の送信タイミングを、ＲＲＵ２自身のフレームタイミングに合わせて調整するようにしており、ＦＦＴ処理後の上り信号がＢＢＵ１に到達するまでの遅延時間（ＦＨの伝送遅延）については特に考慮していなかった。
【００７６】
図９は、新たな課題を説明するための図である。例えば、図９に示すように、ＢＢＵ１に近い位置にＲＲＵ２ａが設置され、ＢＢＵ１から遠い位置にＲＲＵ２ｂが設置されているＣ−ＲＡＮの構成を想定する。また、ユーザ装置ＵＥａはＲＲＵ２ａと通信しており、ユーザ装置ＵＥｂは、ＲＲＵ２ｂと通信している状況を想定する。
【００７７】
図９に示すＣ−ＲＡＮの場合、ＢＢＵ１とＲＲＵ２ａとの間の伝送遅延と、ＢＢＵ１とＲＲＵ２ｂとの間の伝送遅延とが異なるため、各ユーザ装置ＵＥから送信される上り信号（フィードバック）は、伝送遅延の差の分だけずれてＢＢＵ１に到達することになる。
【００７８】
具体的には、図１０に示すように、ＲＲＵ２ａは、自身のフレームタイミングに合わせてユーザ装置ＵＥａのＴＡ制御を行う。従って、ユーザ装置ＵＥから送信された上り信号（Ｄ１１１）をＲＲＵ２ａがＦＦＴ処理した後の上り信号（Ｄ１１２）は、ＢＢＵ１のフレームタイミング（基準タイミング、下り信号（Ｄ１０１／Ｄ２０１）の送信タイミング）より「α１」時間遅延してＢＢＵ１に到達することになる。一方、ＲＲＵ２ｂは、自身のフレームタイミングに合わせてユーザ装置ＵＥｂのＴＡ制御を行う。従って、ユーザ装置ＵＥから送信された上り信号（Ｄ２１１）をＲＲＵ２ｂがＦＦＴ処理した後の上り信号（Ｄ２１２）は、ＢＢＵ１のフレームタイミングより「α２」時間遅延してＢＢＵ１に到達することになる。つまり、ユーザ装置ＵＥｂからの上り信号（Ｄ２１２）は、ユーザ装置ＵＥａからの上り信号（Ｄ１１２）よりも更に「α２−α１」時間だけずれてＢＢＵ１に到達することになる。
【００７９】
図１１Ａ及びＢは、ＢＢＵの処理可能時間を説明するための図である。ここで、ＬＴＥでは、基地局ｅＮＢは、所定のサブフレームで下り信号を送信してから４ｍｓ後のサブフレームで、下り信号に対するＡＣＫ／ＮＡＣＫをユーザ装置ＵＥから受信するように規定されている。また、基地局ｅＮＢは、受信したＡＣＫ／ＮＡＣＫに基づいて、最短で４ｍｓ後（又は４ｍｓ以降）のサブフレームで次の下り信号を送信するためのスケジューリング処理を行い、４ｍｓ後（又は４ｍｓ以降）のサブフレームで次に送信すべき下り信号を送信するように規定されている。つまり、基地局ｅＮＢが下り信号を送信してから次の下り信号を送信するまでの時間は最短で４ｍｓ＋４ｍｓ＝８ｍｓになる。この８ｍｓの時間は、ＭＡＣ  ＲＴＴ（Round Trip Time）と呼ばれている。
【００８０】
図１１Ａは、ＦＨの伝送遅延が無いと仮定した場合に、ＢＢＵ１がスケジューリング処理を行う際に許容される処理可能時間を示している。図１１Ａに示すように、ＢＢＵ１は、サブフレーム「ｎ」のタイミングでユーザ装置ＵＥに下り信号を送信した場合、サブフレーム「ｎ＋４」に係る区間（１ｍｓ）で、サブフレーム「ｎ」のタイミングで送信した下り信号に対するＡＣＫ／ＮＡＣＫの受信処理を行うことになる。従って、サブフレーム「ｎ＋８」のタイミングで次の下り信号を送信する場合、ＢＢＵ１がスケジューリング処理を行う際に許容される処理可能時間は「３ｍｓ」になる。
【００８１】
図１１Ｂは、ＦＨの伝送遅延が存在するとした場合に、ＢＢＵ１がスケジューリング処理を行うために許容される処理可能時間を示している。図１１Ｂに示すように、ＢＢＵ１は、サブフレーム「ｎ」のタイミングでユーザ装置ＵＥａ及びユーザ装置ＵＥｂに対して下り信号を送信した場合、サブフレーム「ｎ＋４」のタイミングにＦＨの伝送遅延を加えたタイミングでＡＣＫ／ＮＡＣＫの受信処理を行うことになる。より具体的には、ユーザ装置ＵＥａからのＡＣＫ／ＮＡＣＫ（ＲＲＵ２ａでＦＦＴ処理されたＡＣＫ／ＮＡＣＫ）については、サブフレーム「ｎ＋３」とサブフレーム「ｎ＋４」の境界より「α１」時間遅延してＢＢＵ１に到達することになる。従って、ＢＢＵ１は、サブフレーム「ｎ＋４」に係る区間より「α１」ずれた区間でユーザ装置ＵＥａからのＡＣＫ／ＮＡＣＫの受信処理を行うことになる。
【００８２】
また、ユーザ装置ＵＥｂからのＡＣＫ／ＮＡＣＫ（ＲＲＵ２ｂでＦＦＴ処理されたＡＣＫ／ＮＡＣＫ）については、サブフレーム「ｎ＋３」とサブフレーム「ｎ＋４」の境界より「α２」時間遅延してＢＢＵ１に到達することになる。従って、ＢＢＵ１は、サブフレーム「ｎ＋４」に係る区間より「α２」ずれた区間でユーザ装置ＵＥｂからのＡＣＫ／ＮＡＣＫの受信処理を行うことになる。
【００８３】
前述の通り、ＢＢＵ１は、各セルに対して最適なリソース割当てを行うためには、サブフレーム「ｎ」のタイミングで各ユーザ装置ＵＥに向けて送信した下り信号に対するＡＣＫ／ＮＡＣＫを全て受信してからスケジューリング処理を開始するのが望ましい。
【００８４】
すなわち、図１１Ｂの例では、ＢＢＵ１は、ユーザ装置ＵＥａ及びユーザ装置ＵＥｂの両方からのＡＣＫ／ＮＡＣＫを受信してからスケジューリング処理を開始するのが望ましい。そうすると、サブフレーム「ｎ＋８」のタイミングでユーザ装置ＵＥａ及びユーザ装置ＵＥｂに向けて次の下り信号を送信する場合、ＢＢＵ１がスケジューリング処理を行う際に許容される処理可能時間は、「（３−α２）ｍｓ」に短縮されてしまうことになる。
【００８５】
ＦＨの伝送遅延がＭＡＣ  ＲＴＴと比較して非常に小さい場合は、ＢＢＵ１に与える影響は無視できる程度であると想定される。しかしながら、ＦＨの伝送遅延が大きい場合、又は将来ＭＡＣ  ＲＴＴが短縮される場合は、ＢＢＵ１においてスケジューリング処理を行う際に許容される処理可能時間が短くなり、要求性能が厳しくなることに伴うＢＢＵ１のコスト増等を招く恐れがある。
【００８６】
そこで、本実施の形態に係る無線通信システムでは、ＢＢＵ１がスケジューリング処理を行う際に許容される処理可能時間を所定の時間以上確保するために、ＢＢＵ１からＲＲＵ２に対して、ＴＡ制御のタイミングを調整するように指示することを可能にする。
【００８７】
具体的には、ＢＢＵ１は、自身がスケジューリング処理を行う際に許容される処理可能時間として確保すべき時間を考慮し、ＢＢＵ１のフレームタイミング（基準タイミング）を起点として各ユーザ装置ＵＥ（ＢＢＵ１がスケジューリングを行っている各ユーザ装置ＵＥ）からの上り信号の受信が完了するまでに許容される時間（以下、「最大待ち時間（Ｔ）」と呼ぶ）を予め管理しておく。また、ＢＢＵ１は、自身に接続されたＲＲＵ２から上り信号の受信が完了するまでの時間が最大待ち時間（Ｔ）を超える場合、上り信号を最大待ち時間（Ｔ）以内に受信可能にするために、ＲＲＵ２配下の各ユーザ装置ＵＥからの上り信号の送信を所定の時間先行させるようにＲＲＵ２に指示する。
【００８８】
なお、ＢＢＵ１からＲＲＵ２に対してＴＡ制御のタイミングを調整するように指示することを可能にした場合、ＲＲＵ２において、ＲＲＵ２が保持しているフレームタイミングと、ユーザ装置ＵＥからの上り信号の受信タイミングとが一致しなくなってしまう。そのため、以下に説明する処理手順において、ＲＲＵ２は、下り信号の送信に用いるフレームタイミング（基準タイミング）と、上り信号の受信に用いるフレームタイミング（基準タイミング）とを別々に管理するようにする。また、ＲＲＵ２は、上り信号の受信に用いるフレームタイミングに基づいて、図５〜図７を用いて説明したＴＡ制御（変形例１及び変形例２を含む）を行うようにする。
【００８９】
図１２は、実施の形態に係るＢＢＵがＲＲＵにタイミング調整を指示する際の処理手順を示す図である。
【００９０】
ステップＳ３１で、ユーザ装置ＵＥから上り信号が送信される。
【００９１】
ステップＳ３２で、ＲＲＵ２は、ユーザ装置ＵＥから受信した上り信号に対してＦＦＴ処理を行い、ＦＦＴ処理後の上り信号をＢＢＵ１に送信する。
【００９２】
ステップＳ３３で、ＢＢＵ１は、自身が保持するフレームタイミングと、ユーザ装置ＵＥから上り信号を受信したタイミングとを比較することで、受信タイミングのずれを測定する。なお、ＢＢＵ１は、自身が保持するフレームタイミングと、ＦＨで用いられる所定のフレームプロトコルに含まれる基準信号（パイロット信号等）とを比較することで、受信タイミングのずれを測定するようにしてもよい。これに限られず、ＢＢＵ１は、どのような方法で受信タイミングのずれを測定するようにしてもよい。
【００９３】
なお、ステップＳ３３の処理手順において、ＲＲＵ２は、ＦＨで用いられる所定のフレームプロトコルに受信タイミング測定用の信号を含めてＢＢＵ１に送信するようにして、ＢＢＵ１は、当該受信タイミング測定用の信号を用いて受信タイミングのずれを測定するようにしてもよい。当該受信タイミング測定用の信号は、例えば、サブフレームの境界のタイミングで送信されてもよいし、イベントトリガ的に送信されてもよい。
【００９４】
図１３を参照して具体例を説明する。なお、図１３において、図１０と同一部分については同一の符号で示されている。
【００９５】
ＢＢＵ１からＲＲＵ２ａ及びＲＲＵ２ｂに対してタイミング調整が指示されていない場合、ＲＲＵ２ａ及びＲＲＵ２ｂは、自身のフレームタイミングに合わせてユーザ装置ＵＥａのＴＡ制御を行う。従って、ＲＲＵ２ａがユーザ装置ＵＥから送信された上り信号（Ｄ１１１）をＦＦＴ処理した後の上り信号（Ｄ１１２）は、ＢＢＵ１のフレームタイミングより「α１」時間遅延してＢＢＵ１に到達することになる。すなわち、図１２のステップＳ３３の処理手順においてＢＢＵ１で測定される、ユーザ装置ＵＥａからの上り信号の受信タイミングのずれは「α１」時間である。同様に、ＲＲＵ２ｂがユーザ装置ＵＥから送信された上り信号（Ｄ２１１）をＦＦＴ処理した後の上り信号（Ｄ２１２）は、ＢＢＵ１のフレームタイミングより「α２」時間遅延してＢＢＵ１に到達することになる。すなわち、図１２のステップＳ３３の処理手順においてＢＢＵ１で測定される、ユーザ装置ＵＥｂからの上り信号の受信タイミングのずれは「α２」時間である。図１２に戻り説明を続ける。
【００９６】
ステップＳ３４で、ＢＢＵ１は、ステップＳ３３の処理手順で測定された受信タイミングのずれが最大待ち時間（Ｔ）を超えていると判断した場合、ＲＲＵ２配下の各ユーザ装置ＵＥに対して、ＲＲＵ２で行われるＴＡ制御で制御される上り信号の送信タイミングより更に所定の時間先行させるように指示することを示すタイミング調整コマンドを生成する。
【００９７】
図１３を用いて具体例を説明する。図１３の場合、ユーザ装置ＵＥｂからの上り信号の受信タイミングのずれ「α２」は、ＢＢＵ１が保持している最大待ち時間（Ｔ）よりも長い。従って、ＢＢＵ１は、ＲＲＵ２ｂ配下の各ユーザ装置ＵＥに対して、上り信号の送信タイミングを、ＲＲＵ２ｂで行われるＴＡ制御で制御される送信タイミングから更に「α２−Ｔ」時間先行させるように指示することを示すタイミング調整コマンドを生成する。
図１２に戻り説明を続ける。
【００９８】
タイミング調整コマンドには、先行させる具体的な時間が格納されてもよいし、先行させる時間を示すインデックスが格納されてもよい。インデックスには、３ＧＰＰ仕様（ＴＳ３６．３２１、ＴＳ３６．２１３）で規定されているＴＡコマンドのインデックスが流用されてもよい。
【００９９】
ステップＳ３５で、ＢＢＵ１は、タイミング調整コマンドをＲＲＵ２に送信する。
【０１００】
ステップＳ３６で、ＲＲＵ２は、図５〜図７を用いて説明したＴＡ制御により決定された送信タイミングに、タイミング調整コマンドで指示された時間が加味された送信タイミングを示すＴＡコマンド（又は、ＴＡコマンド用のＭＡＣ  ＣＥを含むＭＡＣ  ＰＤＵ）を生成し、生成したＴＡコマンドを各ユーザ装置ＵＥに送信する。
【０１０１】
図１３を用いて具体例を説明する。図１３の例では、ＢＢＵ１は、ＲＲＵ２ｂ配下のユーザ装置ＵＥに対して上り信号の送信を「α２−Ｔ」時間先行させるように指示することを示すタイミング調整コマンドをＲＲＵ２ｂに送信する。ＲＲＵ２ｂは、ユーザ装置ＵＥｂに対して、上り信号の受信に用いるフレームタイミングに合わせて制御しているＴＡ制御のタイミング（図１３の「Ｘ」）より更に「α２−Ｔ」時間先行させたタイミングのＴＡコマンド（「ＴＡ  ｃｏｍｍａｎｄ（ＵＥｂ）：Ｘ＋（α２−Ｔ）」）を生成してユーザ装置ＵＥｂに送信する。これにより、ＲＲＵ２ｂがユーザ装置ＵＥｂから送信された上り信号（Ｄ１２１１）をＦＦＴ処理した後の上り信号（Ｄ１２１２）は、上り信号（Ｄ２１２）より「α２−Ｔ」時間先行したタイミング（言い換えると、ＢＢＵ１のフレームタイミングより「Ｔ」時間遅延したタイミング）でＢＢＵ１に到達することになる。すなわち、ＢＢＵ１は、最大待ち時間（Ｔ）の範囲で、ユーザ装置ＵＥａからの上り信号（Ｄ１１２）とユーザ装置ＵＥｂからの上り信号（Ｄ１２１２）とを受信することが可能になる。
【０１０２】
また、ステップＳ３６における他の方法として、ＲＲＵ２は、タイミング調整コマンドで指示された時間を、ＴＡコマンドとは異なる信号を用いてＲＲＵ２配下の各ユーザ装置ＵＥに通知し、ユーザ装置ＵＥは、ＴＡコマンドで指示された送信タイミングに加え、当該信号により指示された時間先行させて上り信号を送信するようにしてもよい。
【０１０３】
より具体的には、ＲＲＵ２は、例えば、報知情報（ＳＩＢ）にタイミング調整コマンドで指示された時間を含めて送信するようにしてもよい。ユーザ装置ＵＥは、報知情報を受信することで、先行させるべき時間を認識することができる。
【０１０４】
また、ＲＲＵ２は、例えば、新たなＲＮＴＩを予め規定しておき、ＰＤＣＣＨにおける共通サーチスペース（Common Search Space）にタイミング調整コマンドで指示された時間を含めて送信するようにしてもよい。ユーザ装置ＵＥは、新たなＲＮＴＩを用いて共通サーチスペースをブラインド検出することで、先行させるべき時間を認識することができる。
【０１０５】
以上、ＢＢＵとＲＲＵ間におけるＴＡ制御について説明した。なお、「タイミング調整コマンド」は、これに限られずどのような名称であってもよい。
【０１０６】
（ＢＢＵとＲＲＵ間におけるＴＡ制御の変形例について）
ＢＢＵ１は、図１２のステップＳ３２の処理手順で受信した上り信号の信頼度を測定し、測定した信頼度が所定の閾値以上である場合に、図１２のステップＳ３４の処理手順において、タイミング調整コマンドを生成するようにしてもよい。信頼度とは、例えば、ＦＨを介して受信された上り信号の受信電力の強弱であってもよいし、ＦＨを介して受信された上り信号の受信品質のレベルであってもよい。
【０１０７】
これにより、上り信号の信頼度が所定の閾値以上である場合に限り、ＢＢＵ１でタイミング調整コマンドの生成及び送信が行われることになる。
【０１０８】
＜機能構成＞
（ＲＲＵ）
図１４は、実施の形態におけるＲＲＵの機能構成例を示す図である。図１４に示すように、ＲＲＵ２は、無線信号送信部１０１と、無線信号受信部１０２と、信号送信部１０３と、信号受信部１０４と、測定部１０５と、生成部１０６とを有する。なお、図１４は、ＲＲＵ２において実施の形態に特に関連する機能部のみを示すものであり、少なくともＬＴＥに準拠した動作を行うための図示しない機能も有するものである。また、図１４に示す機能構成は一例に過ぎない。本実施の形態に係る動作を実行できるのであれば、機能区分及び機能部の名称はどのようなものでもよい。ただし、これまでに説明したＲＲＵ２の処理の一部（例：特定の１つ又は複数の実施例のみ等）を実行可能としてもよい。例えば、ＲＲＵ２は生成部１０６を有していなくてもよい。
【０１０９】
無線信号送信部１０１は、信号受信部１０４から受け取ったＢＢＵ１からの信号に対して物理レイヤの処理を行い、無線信号をユーザ装置ＵＥに送信する。無線信号受信部１０２は、ユーザ装置ＵＥから受信した無線信号に対して物理レイヤの処理を行い、信号送信部１０３に渡す。無線信号送信部１０１及び無線信号受信部１０２は、それぞれＩＦＦＴ（Inverse FFT）及びＦＦＴ処理を行う機能を含む。
【０１１０】
無線信号送信部１０１及び無線信号受信部１０２は、送受信で共通のフレームタイミング（基準タイミング）に従って無線信号の送受信処理（ＩＦＦＴ／ＦＦＴ処理を含む）を行うようにしてもよい。また、無線信号送信部１０１は、下り信号の送信に用いるフレームタイミングを保持し、下り信号の送信に用いるフレームタイミングに従って無線信号の送信処理（ＩＦＦＴ処理を含む）を行うようにしてもよい。また、無線信号受信部１０２は、上り信号の受信に用いるフレームタイミングを保持し、上り信号の受信に用いるフレームタイミングに従って、無線信号の受信処理（ＦＦＴ処理を含む）ようにしてもよい。
【０１１１】
また、無線信号送信部１０１又は／及び無線信号受信部１０２は、ＲＡ手順における輻輳回避制御を行う機能を有していてもよい。具体的には、無線信号送信部１０１は、ランダムアクセス手順で用いられるメッセージの送信数を所定の閾値に制限するようにしてもよい。また、無線信号受信部１０２は、所定時間内で受信した、ランダムアクセス手順で用いられるメッセージの受信数が所定の閾値を超えた場合、所定の閾値を超えて受信したメッセージを破棄するようにしてもよい。
【０１１２】
また、無線信号送信部１０１は、ランダムアクセス手順で用いられるメッセージの送信数を所定の閾値に制限したことを信号送信部１０３に通知し、信号送信部１０３は、ランダムアクセス手順で用いられるメッセージの送信数が所定の閾値に制限されたことをＢＢＵ１に通知してもよい。
【０１１３】
また、無線信号受信部１０２は、ランダムアクセス手順で用いられるメッセージを破棄したことを信号送信部１０３に通知し、信号送信部１０３は、ランダムアクセス手順で用いられるメッセージの破棄が行われたことをＢＢＵ１に通知してもよい。
【０１１４】
信号送信部１０３は、無線信号受信部１０２から受け取った信号を、ＦＨで用いられる所定のフレームプロトコルを用いてＢＢＵ１に送信する。信号受信部１０４は、ＢＢＵ１から受信した所定のフレームプロトコルから信号を抽出し、抽出した信号を無線信号送信部１０１に渡す。信号送信部１０３及び信号受信部１０４は、ＦＨで用いられる所定のフレームプロトコルのインタフェースとしての機能を含む。
【０１１５】
また、信号受信部１０４は、ＢＢＵ１からＴＡコマンドを受信した場合、受信したＴＡコマンドを無線信号送信部１０１又は生成部１０６に渡す。
【０１１６】
また、信号受信部１０４は、ＢＢＵ１からタイミング調整コマンドを受信した場合、受信したタイミング調整コマンドを無線信号受信部１０２及び生成部１０６に渡す。信号受信部１０４は、タイミング調整コマンドをＢＢＵ１から取得する取得部を有していてもよい。なお、無線信号受信部１０２は、信号受信部１０４からタイミング調整コマンドを受け取った場合、上り信号受信用のフレームタイミングを、タイミング調整コマンドで指示された時間分シフトさせるように動作する。
【０１１７】
測定部１０５は、ＲＲＵ２自身が管理しているフレームタイミングと、ユーザ装置ＵＥから上り信号を受信したタイミングとの間の受信タイミングのずれ（タイミングの差）を測定する。また、測定部１０５は、測定した受信タイミングのずれを、信号送信部１０３を介してＢＢＵ１に送信する。なお、測定部１０５は、測定した受信タイミングを生成部１０６に渡すようにしてもよい。
【０１１８】
生成部１０６は、測定部１０５で測定された受信タイミングのずれを示す値に基づいて、ＴＡコマンドを生成する。生成部１０６は、ＴＡコマンド用のＭＡＣ  ＣＥを含むＭＡＣ  ＰＤＵを生成するようにしてもよい。
【０１１９】
また、生成部１０６は、信号受信部１０４からＴＡコマンドを受け取った場合、ＴＡコマンド用のＭＡＣ  ＣＥを含むＭＡＣ  ＰＤＵを生成するようにしてもよい。
【０１２０】
また、生成部１０６は、信号受信部１０４からタイミング調整コマンドを受け取った場合、タイミング調整コマンドで指示された時間を加味したＴＡコマンド用のＭＡＣ  ＣＥを含むＭＡＣ  ＰＤＵを生成するようにしてもよい。また、生成部１０６は、タイミング調整コマンドで指示された時間を含む報知情報を生成してもよいし、タイミング調整コマンドで指示された時間を含むＤＣＩを生成してもよい。生成部１０６は、生成したＴＡコマンド、ＭＡＣ  ＰＤＵ、報知情報又はＤＣＩを無線信号送信部１０１を介してユーザ装置ＵＥに送信する。
【０１２１】
（ＢＢＵ）
図１５は、実施の形態におけるＢＢＵの機能構成例を示す図である。図１５に示すように、ＢＢＵ１は、信号送信部２０１と、信号受信部２０２と、生成部２０３と、測定部２０４と、スケジューリング処理部２０５とを有する。なお、図１５は、ＢＢＵ１において実施の形態に特に関連する機能部のみを示すものであり、少なくともＬＴＥに準拠した動作を行うための図示しない機能も有するものである。また、図１５に示す機能構成は一例に過ぎない。本実施の形態に係る動作を実行できるのであれば、機能区分及び機能部の名称はどのようなものでもよい。ただし、これまでに説明したＢＢＵ１の処理の一部（例：特定の１つ又は複数の実施例のみ等）を実行可能としてもよい。
【０１２２】
信号送信部２０１は、ＢＢＵ１から送信されるべきデータに対して上位のレイヤ及びレイヤ２の処理を行うことで信号を生成し、生成した信号を、ＦＨで用いられる所定のフレームプロトコルを用いてＲＲＵ２に送信する機能を含む。信号受信部２０２は、ＲＲＵ２から受信した所定のフレームプロトコルから信号を抽出し、抽出した信号に対してレイヤ２及び上位のレイヤの処理を行うことでデータを取得する機能を含む。信号送信部２０１及び信号受信部２０２は、ＦＨで用いられる所定のフレームプロトコルのインタフェースとしての機能を含む。
【０１２３】
生成部２０３は、信号受信部２０２を介してＲＲＵ２から受信した、"ＲＲＵ２自身が管理しているフレームタイミングとユーザ装置ＵＥから上り信号を受信したタイミングとの間の受信タイミングのずれ"に基づいて、ＴＡコマンドを生成する。また、生成部２０３は、生成したＴＡコマンドを信号送信部２０１を介してＲＲＵ２に送信する。
【０１２４】
また、生成部２０３は、測定部２０４から、測定された受信タイミングのずれが最大待ち時間（Ｔ）を超えていると判断されたとの通知を受けた場合、ユーザ装置ＵＥが上り信号を送信する送信タイミングを、ＲＲＵ２で行われるＴＡ制御で制御される送信タイミングより更に所定の時間先行させるためのタイミング調整コマンドを生成し、生成したタイミング調整コマンドを信号送信部２０１を介してＲＲＵ２に送信する。
【０１２５】
測定部２０４は、自身が保持するフレームタイミングと、信号受信部２０２で受信されたユーザ装置ＵＥから上り信号を受信したタイミングとの間の受信タイミングのずれ（タイミングの差）を測定する。また、測定部２０４は、測定された受信タイミングのずれが最大待ち時間（Ｔ）を超えているか否かを判断する機能を有する。測定部２０４は、測定した受信タイミングのずれが最大待ち時間（Ｔ）を超えていると判断したことを生成部２０３に通知する。
【０１２６】
スケジューリング処理部２０５は、ＢＢＵ１が管理するセルのスケジューリング（無線リソースの割当て）を行う機能を有する。また、スケジューリング処理部２０５は、ＨＡＲＱ（Hybrid Automatic repeat request）処理を行う機能を有する。
【０１２７】
以上説明したＲＲＵ２及びＢＢＵ１の機能構成は、全体をハードウェア回路（例えば、１つ又は複数のＩＣチップ）で実現してもよいし、一部をハードウェア回路で構成し、その他の部分をＣＰＵとプログラムとで実現してもよい。
【０１２８】
（ＲＲＵ）
図１６は、実施の形態に係るＲＲＵのハードウェア構成例を示す図である。図１６は、図１４よりも実装例に近い構成を示している。図１６に示すように、ＲＲＵ２は、無線信号に関する処理を行うＲＥ（Radio Equipment）モジュール３０１と、ベースバンド信号処理を行うＢＢ（Base Band）処理モジュール３０２と、ＢＢＵ１と接続するためのインタフェースであるＢＢＵ間ＩＦ３０３とを有する。
【０１２９】
ＲＥモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＥモジュール３０１は、ＲＦ機能を含む。ＲＥモジュール３０１は、例えば、図１４に示す無線信号送信部１０１及び無線信号受信部１０２の一部を含む。
【０１３０】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図１４に示す無線信号送信部１０１及び無線信号受信部１０２の一部、測定部１０５及び生成部１０６を含む。
【０１３１】
ＢＢＵ間ＩＦ３０３は、ＢＢＵ１とＲＲＵ２との間を接続するＦＨの物理回線を接続する機能、ＦＨで用いられる所定のフレームプロトコルを終端する機能を有する。ＢＢＵ間ＩＦ３０３は、例えば、図１４に示す信号送信部１０３及び信号受信部１０４を含む。
【０１３２】
（ＢＢＵ）
図１７は、実施の形態に係るＢＢＵのハードウェア構成例を示す図である。図１７は、図１５よりも実装例に近い構成を示している。図１７に示すように、ＢＢＵ１は、ＲＲＵ２と接続するためのインタフェースであるＲＲＵ間ＩＦ４０１と、ベースバンド信号処理を行うＢＢ処理モジュール４０２と、上位レイヤ等の処理を行う装置制御モジュール４０３と、ネットワークと接続するためのインタフェースである通信ＩＦ４０４とを有する。
【０１３３】
ＲＲＵ間ＩＦ４０１は、ＢＢＵ１とＲＲＵ２との間を接続するＦＨの物理回線を接続する機能、ＦＨで用いられる所定のフレームプロトコルを終端する機能を有する。ＲＲＵ間ＩＦ４０１は、例えば、図１５に示す信号送信部２０１及び信号受信部２０２の一部を含む。
【０１３４】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図１５に示す信号送信部２０１、信号受信部２０２の一部及びスケジューリング処理部２０５を含む。
【０１３５】
装置制御モジュール４０３は、ＩＰレイヤのプロトコル処理、ＯＡＭ（Operation and Maintenance）処理等を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、基地局ｅＮＢ自身が動作するための各種設定情報等が格納される。装置制御モジュール４０３は、図１５に示す生成部２０３及び測定部２０４の一部を含む。
【０１３６】
＜まとめ＞
以上、実施の形態によれば、第一の基地局と、前記第一の基地局を介してユーザ装置と通信する第二の基地局と、前記第一の基地局と通信する前記ユーザ装置とを有する無線通信システムにおいて前記第一の基地局として用いられる基地局であって、前記ユーザ装置から送信される上り信号を受信する第一の受信部と、前記上り信号を受信するタイミングと当該基地局が保持する所定の基準タイミングとの間のタイミングの差を測定する測定部と、前記タイミングの差に基づいて生成される、前記ユーザ装置が前記上り信号を送信する送信タイミングを制御するためのコマンドを前記ユーザ装置に送信する第一の送信部と、を有する基地局が提供される。この基地局により、Ｃ−ＲＡＮによる無線通信ネットワークにおいて、適切に通信を行うことを可能にする技術が提供される。
【０１３７】
また、前記測定された前記タイミングの差を前記第二の基地局に通知する第二の送信部と、前記第二の基地局から前記コマンドを受信する第二の受信部と、を有するようにしてもよい。レイヤ２（ＭＡＣレイヤ）の処理であるＴＡコマンドを生成する処理をＢＢＵ１側に持たせることができ、ＲＲＵ２の処理負荷、開発コストを軽減させることができる。
【０１３８】
また、前記タイミングの差に基づいて前記コマンドを生成する生成部、を有するようにしてもよい。これにより、ＢＢＵの処理負荷を軽減させることができる。
【０１３９】
また、前記生成部は、前記タイミングの差が所定の閾値以上の場合に、前記コマンドを生成するようにしてもよい。これにより、フレームタイミングと上り信号の受信タイミングとのずれが小さいにも関わらず、ＲＲＵ２からユーザ装置ＵＥに向けて不要にＴＡコマンドが送信されてしまうことを抑止することができる。また、これにより、ＲＲＵ２とユーザ装置ＵＥとの間のシグナリング量を削減することが可能になる。
【０１４０】
また、前記第一の受信部は、所定時間内で受信した、ランダムアクセス手順で用いられるメッセージの受信数が所定の閾値を超えた場合、前記所定の閾値を超えて受信した前記メッセージを破棄するようにしてもよい。これにより、ＲＲＵ２は、多くのユーザ装置ＵＥで一斉にＲＡ手順が行われるような場合に、自身の処理負荷の上昇を抑制することが可能になる。また、これにより、ＲＲＵ２の最大処理能力を適切な範囲に抑えることができ、開発コスト等を抑制することができる。
【０１４１】
また、前記第一の受信部は、前記メッセージを破棄したことを前記第二の基地局に通知するようにしてもよい。これにより、ＢＢＵ１は、ＲＲＵ２で輻輳制御機能が動作したことを把握することができる。また、これにより、ＢＢＵ１は、ＲＲＵ２で輻輳が発生したことを保守オペレータに通知する等の機能を実現することができる。
【０１４２】
また、前記第二の基地局から、前記ユーザ装置が前記上り信号を送信する送信タイミングを、前記コマンドにより制御される送信タイミングより更に所定の時間先行させるための制御情報を取得する取得部、を有し、前記第一の送信部は、前記制御情報に含まれる前記所定の時間を前記ユーザ装置に送信する、ようにしてもよい。これにより、ＢＢＵ１は、ＦＨの伝送遅延が大きい場合など、スケジューリング処理を行う際に許容される処理可能時間を確保することができる。また、これにより、ＢＢＵ１の処理性能に対する要求性能を一定以下に抑えることができ、ＢＢＵ１の開発コスト増加などを抑止することができる。
【０１４３】
また、実施の形態によれば、第一の基地局と、前記第一の基地局を介してユーザ装置と通信する第二の基地局と、前記第一の基地局と通信する前記ユーザ装置とを有する無線通信システムにおいて前記第二の基地局として用いられる基地局であって、前記第一の基地局から、前記ユーザ装置から送信される上り信号を受信する受信部と、前記上り信号を受信するタイミングと当該基地局が保持する所定の基準タイミングとの間のタイミングの差を測定する測定部と、前記タイミングの差が所定の待ち時間を超える場合、前記ユーザ装置が前記上り信号を送信する送信タイミングを、前記第一の基地局で行われるタイミングアライメント制御で制御される送信タイミングより更に所定の時間先行させるための制御情報を生成する生成部と、前記制御情報を前記第一の基地局に送信する送信部と、を有する基地局が提供される。この基地局により、Ｃ−ＲＡＮによる無線通信ネットワークにおいて、適切に通信を行うことを可能にする技術が提供される。
【０１４４】
また、実施の形態によれば、第一の基地局と、前記第一の基地局を介してユーザ装置と通信する第二の基地局と、前記第一の基地局と通信する前記ユーザ装置とを有する無線通信システムにおける前記第一の基地局が実行するタイミング制御方法であって、前記ユーザ装置から送信される上り信号を受信するステップと、前記上り信号を受信するタイミングと当該第一の基地局が保持する所定の基準タイミングとの間のタイミングの差を測定するステップと、前記タイミングの差に基づいて生成される、前記ユーザ装置が前記上り信号を送信する送信タイミングを制御するためのコマンドを前記ユーザ装置に送信するステップと、を有するタイミング制御方法が提供される。このタイミング制御方法により、Ｃ−ＲＡＮによる無線通信ネットワークにおいて、適切に通信を行うことを可能にする技術が提供される。
【０１４５】
また、実施の形態によれば、第一の基地局と、前記第一の基地局を介してユーザ装置と通信する第二の基地局と、前記第一の基地局と通信する前記ユーザ装置とを有する無線通信システムにおける前記第二の基地局が実行するタイミング制御方法であって、前記第一の基地局から、前記ユーザ装置から送信される上り信号を受信するステップ、前記上り信号を受信するタイミングと当該第二の基地局が保持する所定の基準タイミングとの間のタイミングの差を測定するステップと、前記タイミングの差が所定の待ち時間を超える場合、前記ユーザ装置が前記上り信号を送信する送信タイミングを、前記第一の基地局で行われるタイミングアライメント制御で制御される送信タイミングより更に所定の時間先行させるための制御情報を生成するステップと、前記制御情報を前記第一の基地局に送信するステップと、を有するタイミング制御方法が提供される。このタイミング制御方法により、Ｃ−ＲＡＮによる無線通信ネットワークにおいて、適切に通信を行うことを可能にする技術が提供される。
【０１４６】
＜実施形態の補足＞
方法の請求項は、サンプル的順序で様々なステップの要素を提示しており、請求項の中で明記していない限り、提示した特定の順序に限定されない。
【０１４７】
以上、本発明の実施の形態で説明する各装置（ＢＢＵ１／ＲＲＵ２）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１４８】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ＢＢＵ１／ＲＲＵ２は機能的なブロック図を用いて説明されたが、そのような装置はハードウェアで、ソフトウェアで又はそれらの組み合わせで実現されてもよい。本発明の実施の形態に従ってＢＢＵ１が有するプロセッサにより動作するソフトウェア及び本発明の実施の形態に従ってＲＲＵ２が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１４９】
なお、実施の形態において、ＲＲＵ２は、第一の基地局の一例である。ＢＢＵ１は、第二の基地局の一例である。無線信号送信部１０１は、第一の送信部の一例である。無線信号受信部１０２は、第一の受信部の一例である。信号送信部１０３は、第二の送信部の一例である。信号受信部１０４は、第二の受信部の一例である。フレームタイミングは、所定の基準タイミングの一例である。信号受信部１０４は、取得部の一例である。タイミング調整コマンドは、制御情報の一例である。最大待ち時間（Ｔ）は、所定の待ち時間の一例である。
【０１５０】
本特許出願は２０１５年１１月３０日に出願した日本国特許出願第２０１５−２３３５２４号に基づきその優先権を主張するものであり、日本国特許出願第２０１５−２３３５２４号の全内容を本願に援用する。
【符号の説明】
【０１５１】
ｅＮＢ  基地局
ＵＥ  ユーザ装置
１  ＢＢＵ
２  ＲＲＵ
１０１  無線信号送信部
１０２  無線信号受信部
１０３  信号送信部
１０４  信号受信部
１０５  測定部
１０６  生成部
２０１  信号送信部
２０２  信号受信部
２０３  生成部
２０４  測定部
２０５  スケジューリング処理部
３０１  ＲＥモジュール
３０２、４０２  ＢＢ処理モジュール
３０３  ＢＢＵ間ＩＦ
４０１  ＲＲＵ間ＩＦ
４０３  装置制御モジュール
４０４  通信ＩＦ
【図１】
2017094299.tif 000003
【図２Ａ】
2017094299.tif 000004
【図２Ｂ】
2017094299.tif 000005
【図３Ａ】
2017094299.tif 000006
【図３Ｂ】
2017094299.tif 000007
【図４】
2017094299.tif 000008
【図５】
2017094299.tif 000009
【図６Ａ】
2017094299.tif 000010
【図６Ｂ】
2017094299.tif 000011
【図７】
2017094299.tif 000012
【図８Ａ】
2017094299.tif 000013
【図８Ｂ】
2017094299.tif 000014
【図９】
2017094299.tif 000015
【図１０】
2017094299.tif 000016
【図１１Ａ】
2017094299.tif 000017
【図１１Ｂ】
2017094299.tif 000018
【図１２】
2017094299.tif 000019
【図１３】
2017094299.tif 000020
【図１４】
2017094299.tif 000021
【図１５】
2017094299.tif 000022
【図１６】
2017094299.tif 000023
【図１７】
2017094299.tif 000024
【国際調査報告】
2017094299.tif 000025
2017094299.tif 000026
2017094299.tif 000027
2017094299.tif 000028